(57)【要約】【課題】上路式吊床版橋上床版と吊床版と斜材との格点部において、斜材の回転および鉛直変位の調整可能な構造とすることで、施工誤差および施工の煩雑さを解消する。【解決手段】橋台間にかけ渡した架設ケーブル１４ａ、１４ｂを介して上床版用ブロック４と吊床版用ブロック６を結合して上床版５と吊床版７を構築し、上床版５と吊床版７の間を、下部格点ボックス２０と上部格点ボックス２１を介して斜材８で結合し、斜材８の下端部を取付ける下部格点ボックス２０は、吊床版用ブロック６に固着され、左右に分離していて橋軸方向に長さ調整可能に格点部材２４、２５を組合わせて構成し、斜材８の上端部を取付ける上部格点ボックス２１は上下に分離した上側と下側の分割格点部材２２、２３を高さ調整可能に組合わせて構成する。【選択図】図１
2004293113.tif 000002
【特許請求の範囲】
【請求項１】
橋台間にかけ渡した架設ケーブルを介して構築した上床版と吊床版の間が、上下の格点部を介して斜材や鉛直材等の連結材により結合されたトラス形式等の橋梁において、前記格点部を、橋軸方向に分離されていて該橋軸方向に長さ調整可能に構成した分割格点部材を組合わせてなる格点ボックスで構成し、一方の分割格点部材は床版を構成する床版用ブロックのうち隣接する一方のブロックに、他方の分割格点部材は隣接する他方のブロックにそれぞれ固着し、さらに一方の分割格点部材に既設側の連結材を固着し、他方の分割格点部材に新設側連結材を固着することを特徴とする橋梁における床版と連結材の格点部構造。
【請求項２】
前記分割格点部材はジベル孔またはジベル筋を有し、格点ボックス内に経時硬化性材料を充填することで、前記ジベル孔またはジベル筋を介して分割格点部材が一体化されていることを特徴とする請求項１記載の橋梁における床版と連結材の格点部構造。
【請求項３】
橋台間にかけ渡した架設ケーブルを介して構築した上床版と吊床版の間が、上下の格点部を介して斜材や鉛直材等の連結材により結合されたトラス形式等の橋梁において、前記格点部を、上下方向に分離された分割格点部材を組合わせてなる格点ボックスで構成して、一方の分割格点部材は床版を構成する床版用ブロックに固定し、他方の分割格点部材は既設側及び新設側の連結材に固定し、前記一方の分割格点部材に設けた高さ・回転調整部材を他方の分割格点部材に係合することで、両分割格点部材の高さ方向の間隔調整と回転調整を可能に構成したことを特徴とする橋梁における床版と連結材の格点部構造。
【請求項４】
前記分割格点部材はジベル孔またはジベル筋を有し、格点ボックス内に経時硬化性材料を充填することで、前記ジベル孔またはジベル筋を介して分割格点部材が一体化されていることを特徴とする請求項３記載の橋梁における床版と連結材の格点部構造。
【請求項５】
請求項３または４に記載の格点ボックスにおける一方の分割格点部材にはジベル筋あるいはジベル孔を有するプレートが設けられており、床版に形成した凹部に前記ジベル筋あるいはジベル孔を有するプレートが挿入され、凹部にモルタル等の経時硬化性を充填することで前記斜材を取付けた格点ボックスと床版とが一体化されていることを特徴とする橋梁における床版と連結材の格点部構造。
【請求項６】
請求項３または４または５に記載の格点ボックスを用いて斜材等の連結材と吊床版を結合すると共に、請求項１または２または５に記載の格点ボックスを用いて斜材等の連結材と上床版を結合したことを特徴とする橋梁における床版と連結材の格点部構造。
【請求項７】
両岸の橋台に張り渡した架設ケーブルを用いて上床版用ブロックと吊床版用ブロックを順次架設し、前記各床版ブロック間の目地にモルタルを打設して上床版と吊床版を構築し、請求項１または２に記載の格点ボックスを下部格点ボックスを介して斜材等の連結材を吊床版に取付けると共に、請求項３または４に記載の上部格点ボックスを介して斜材等の連結材を上床版に取付け、前記の施工に際し、下部格点ボックスの分割格点部材を互いにスライドして所定の位置に仮決めした後その内部に経時硬化性材料を充填し、上部格点ボックスの分割格点部材を上下と回転方向に互いに微調整して所定の位置に仮決めた後その内部に経時硬化性材料を充填することを特徴とする橋梁における床版と連結材の格点部３次元調整方法。
【発明の詳細な説明】
【０００１】
【発明の属する技術分野】
本発明は、吊床版橋の中でも道路橋に適用可能な上路式吊床版橋のトラス形式橋梁における橋梁における床版と連結材の格点部構造に係り、さらに具体的には、前記斜材の回転および鉛直変位の３次元調整可能な構造に関するものである。
【０００２】
【従来の技術】
一般に、吊床版橋を道路橋に適用する場合、車両走行時の振動の低減や縦断勾配の緩和などの観点から、図８、図９などの上路式吊床版橋１、１ａ（例えば、特開平１１−３２３８４１号公報、特開平１１−２２９３２０公報参照）が用いられる。
【０００３】
図８の上路式吊床版橋１を説明すると、地盤２上に構築された２つの橋台（ストラッド）３の間に種々の架設工法を用いてプレキャストコンクリート板からなる上床版用ブロック４が架設され、目地部にモルタル等の経時硬化性材料を充填して上床版５が構成されている。また、上床版用ブロック４の下方部において２つの橋台（アバット）３の間にプレキャストコンクリート板からなる吊床版用ブロック６が架設され、目地部にモルタル等の経時硬化性材料が充填されて吊床版７を構成している。各橋台３は、複数のグランドアンカー９により地盤２固定されている。
【０００４】
上床版用ブロック４と吊床版用ブロック６の間には、橋軸方向に渡って、かつ図１０に示すように上下の床版用ブロック４、６の橋軸直角方向両側縁に沿って、図に示す斜材（トラス桁）８が配設され、斜材８の上端は上方格点部１０を介して上床版５と結合され、斜材８の下端は下方格点部１２を介して吊床版７と結合される。斜材８は鋼管等の枠材構成される。
【０００５】
また、図９の上路式吊床版橋１においては、図８の上路式吊床版橋１における斜材８に代えて鋼管等の鉛直材（柱状連結材）１３が用いられている。鉛直材１３は、上床版５と吊床版７の橋軸直角方向両側縁に沿って、かつ、橋軸方向に渡って所定の間隔で配設され、鉛直材１３の上下端部は、上方格点部１０と下方格点部１２を介してそれぞれ上床版５と吊床版７に結合される。
【０００６】
前記の上床版用ブロック４と吊床版用ブロック６は、通常プレキャストコンクリート板が用いられ、工場で製作したプレキャスト板の床版用ブロック４、６を施工現場に運搬して２つの橋台３、３間に架設されるが、この架設作業には困難を伴うため、その合理的な架設方法につき特開平１１−３２３８４１、特開平２０００−５４３１９などが提案されている。
【０００７】
図８〜図１０の例で説明すると、橋台３、３間に上部と下部の床版用ブロック４、６を架設するには、１次ケーブル１４と２次ケーブル１５が用いられている。１次ケーブル１４は架設ケーブルとして機能する。２次ケーブル１５は床版用ブロック４、６にプレストレスを導入して各ブロック間を強固に結合するためのものである。図１０には外ケーブル方式の例が示されていて、吊床版ブロック６に設けられたサドル６ａを介して１次ケーブル１４と２次ケーブル１５が交互に配設されている。１次ケーブル１４と２次ケーブル１５の両端は、定着金具（図示省略）を介して橋台３に固定される。
【０００８】
吊床版用ブロック６は、架設ケーブルとして機能する１次ケーブル１４の所定の位置に、懸架架設工法などによりスライド移動されて所定位置に設置した後、鋼管からなる斜材８（または鉛直材１３）が橋軸方向中央部側の隣接するブロック６に跨るように順次配置されると共に、各ブロック６の橋軸方向両端部で、橋軸直角方向の両側部において、起立した状態で隣接する各ブロック６に、図示省略のボルト等により固定されている。
【０００９】
また、上床版用ブロック４を架設するため、橋軸方向に隣り合う各斜材８（または鉛直材１３）の上端に渡って上床版用ブロック４が配置され、図示省略のボルト等により各斜材８（または鉛直材１３）に固定されている。
【００１０】
そして、各吊床版用ブロック６の間および上床版用ブロック４間（および橋体端部ブロック１８と前記各ブロック６、４の間）に目地モルタルを充填して連続した吊床版７と上床版５とする。
【００１１】
また、複数の２次ケーブル１５（１５ａ）を一方の橋体端部ブロック１８に挿通すると共に、吊床版７に橋軸直角方向に間隔をおいて、かつ橋軸方向に挿通し、さらに、他方の橋体端部ブロック１８に挿通して固定する。同様に、複数の２次ケーブル１５（１５ｂ）を一方の橋体端部ブロック１８から橋軸直角方向に間隔をおいて、かつ橋軸方向に上床版５を経て挿通し、他方の橋体端部ブロック１８に挿通して固定する。
【００１２】
そして、上下の２次ケーブル１５（１５ａ、１５ｂ）を緊張して、各２次ケーブル１５の両端を、橋体端部ブロック１８に定着金具を介して定着させる。なお、橋の解体撤去が容易になるよう、橋体端部ブロック１８は橋台３に対し分離して支持された端部分離型上路式吊床版橋であるが、この点は本発明の対象でないので詳細の説明を省略する。なお、従来架設工法には、図８〜図１０の他にも、プレストレス導入用の２次ケーブルを用いない場合があり、また、上床版用の上部架設ケーブルと吊床版用の下部架設ケーブルの両方を用いる場合がある。
【００１３】
【特許文献１】
特開平１１−３２３８４１号公報
【特許文献２】
特開平１１−２２９３２０号公報
【特許文献３】
特開平２０００−５４３１９号公報
【００１４】
【発明が解決しようとする課題】
上路式吊床版橋においては、上床版と吊床版の間を格点部を介して鋼管製などの斜材や支柱などの連結材で連結することが必要であるが、高精度に吊床版橋を構築するためには、斜材（や鉛直材）の上部と下部の床版に対する取付け位置や取付け角度を調整する必要が必然的に生じ、その場合、斜材の鉛直方向、水平方法および回転方向を調整する必要がある。このように斜材等を位置調整した後、該斜材の上下、前後左右の３方向の変位を固定する必要があるため、複数の各斜材を同時に固定するには、ボルトあるいは溶接による固定が必要になるが、誤差が大きくなる場合、固定しずらく無理に固定した場合、残留応力等の影響を受け、部材自体の耐荷力の低下にもつながるという問題があった。
【００１５】
本発明は、前記の問題点に鑑みて提案されたもので、上路式吊床版橋のトラス形式橋梁における斜材を調整可能な構造とする。特に、斜材の回転および鉛直変位の調整可能な構造にとし、３方向の変形を固定することで、施工誤差および施工の煩雑さを解消することを目的とする。
【００１６】
【課題を解決するための手段】
前記の目的を達成するため、本発明は次のように構成する。
【００１７】
第１の発明は、橋台間にかけ渡した架設ケーブルを介して構築した上床版と吊床版の間が、上下の格点部を介して斜材や鉛直材等の連結材により結合されたトラス形式等の橋梁において、前記格点部を、橋軸方向に分離されていて該橋軸方向に長さ調整可能に構成した分割格点部材を組合わせてなる格点ボックスで構成し、一方の分割格点部材は床版を構成する床版用ブロックのうち隣接する一方のブロックに、他方の分割格点部材は隣接する他方のブロックにそれぞれ固着し、さらに一方の分割格点部材に既設側の連結材を固着し、他方の分割格点部材に新設側連結材を固着することを特徴とする。
【００１８】
第２の発明は、第１の発明において、前記分割格点部材はジベル孔またはジベル筋を有し、格点ボックス内に経時硬化性材料を充填することで、前記ジベル孔またはジベル筋を介して分割格点部材が一体化されていることを特徴とする。
【００１９】
第３の発明は、橋梁における床版と連結材の格点部構造。橋台間にかけ渡した架設ケーブルを介して構築した上床版と吊床版の間が、上下の格点部を介して斜材や鉛直材等の連結材により結合されたトラス形式等の橋梁において、前記格点部を、上下方向に分離された分割格点部材を組合わせてなる格点ボックスで構成して、一方の分割格点部材は床版を構成する床版用ブロックに固定し、他方の分割格点部材は既設側及び新設側の連結材に固定し、前記一方の分割格点部材に設けた高さ・回転調整部材を他方の分割格点部材に係合することで、両分割格点部材の高さ方向の間隔調整と回転調整を可能に構成したことを特徴とする。
【００２０】
第４の発明は、第３の発明において、前記分割格点部材はジベル孔またはジベル筋を有し、格点ボックス内に経時硬化性材料を充填することで、前記ジベル孔またはジベル筋を介して分割格点部材が一体化されていることを特徴とする。
【００２１】
第５の発明は、第３または第４発明の格点ボックスにおける一方の分割格点部材にはジベル筋あるいはジベル孔を有するプレートが設けられており、床版に形成した凹部に前記ジベル筋あるいはジベル孔を有するプレートが挿入され、凹部にモルタル等の経時硬化性を充填することで前記斜材を取付けた格点ボックスと床版とが一体化されていることを特徴とする。
【００２２】
第６の発明は、第３または第４または第５発明の格点ボックスを用いて斜材等の連結材と吊床版を結合すると共に、第１または第２または第５発明の格点ボックスを用いて斜材等の連結材と上床版を結合し、床版と連結材の格点部を３次元調整可能に設けたたことを特徴とする。
【００２３】
第７の発明は、両岸の橋台に張り渡した架設ケーブルを用いて上床版用ブロックと吊床版用ブロックを順次架設し、前記各床版ブロック間の目地にモルタルを打設して上床版と吊床版を構築し、第１または第２発明の格点ボックスを下部格点ボックスを介して斜材等の連結材を吊床版に取付けると共に、第３または第４発明の上部格点ボックスを介して斜材等の連結材を上床版に取付け、前記の施工に際し、下部格点ボックスの分割格点部材を互いにスライドして所定の位置に仮決めした後その内部に経時硬化性材料を充填し、上部格点ボックスの分割格点部材を上下と回転方向に互いに微調整して所定の位置に仮決めた後その内部に経時硬化性材料を充填することを特徴とする。
【００２４】
【作用】
本発明によると、上路式吊床版橋の橋梁における床版と斜材等の連結材の格点部を分割格点部材を組合わせてなる格点ボックスで構成し、各分割格点部材により斜材の回転および鉛直変位や水平変位の調整可能な構造とし、さらにジベル孔やジベル筋を具備した格点ボックス内に経時硬化性材料を充填することで、分割格点部材相互の３方向の変形を固定・一体化したことで、上路式吊床版橋の橋梁の構築に際し、施工誤差および施工の煩雑さを解消することが容易に可能になる。
【００２５】
【発明の実施の形態】
以下、本発明の実施形態を図１〜図７を参照して説明する。なお、図８〜図１０に示したものと同一要素には同一符号を付して説明する。
【００２６】
図１は、本実施形態の概要図であり、吊床版橋１において、下部架設ケーブル１６を介して架設された複数の吊床版用ブロック６が架設され、この吊床版用ブロック６の目地１９にモルタル等の経時硬化性材料が充填されて吊床版７が構築されている。また、上部架設ケーブル１７を介して複数の上床版用ブロック４が架設され、この上床版用ブロック４の目地１９にモルタル等の経時硬化性材料が充填されて上床版５が構築されている。吊床版７と上床版５の間は複数の斜材８で連結される。
【００２７】
本発明では、吊床版７と斜材８の間が下部格点ボックス２０を介して結合され、上床版５と斜材８の間が上部格点ボックス２１を介して結合される。そして下部格点ボックス２０と上部格点ボックス２１を介して斜材８と吊床版７および、斜材８と上床版５との間が調整自在に固定できる点に本発明の特徴がある。
【００２８】
図１〜図３によって、斜材８と吊床版７および下部格点ボックス２０の構成を説明する。下部格点ボックス２０は、橋軸方向に分離されていてかつ、橋軸方向に長さ調整可能に構成した分割格点部材２４、２５を組合わせて構成される。各分割格点部材２４、２５は平面コ字形のフレーム２６と、各コ字形フレーム２６の下端縁からコ字形の外方に突出させたフランジ２７と、平面コ字形のフレーム２６内に配設された補強プレート３６とから構成される。対向する左右の平面コ字形のフレーム２６における両側部２６ａはその厚み部だけ一方の幅が広く設けてあって、互いに橋軸方向にスライド自在に嵌りあうように設けてある。前記の両側部２６ａには橋軸方向に伸長する横長孔２８が開設してあって、左右のコ字形フレーム２６における両側部２６ａを重合した上、横長孔２８に仮固定用ボルト２９を挿通しナット３０を締結することで、分割格点部材２４、２５を橋軸方向に長さ調整して仮固定できる。
【００２９】
図３（ｂ）に示すように、吊床版用ブロック６の上面には、雌ネジを有する複数のインサート３１が埋設されている。そして、下部格点ボックス２０における一方の分割格点部材２４のフランジ２７を既設側（図３において左側）の吊床版用ブロック６の上面に当てがい、横長孔３２に固定ボルト３３を挿入し、前記インサート３１に締結する。同じく、他方の分割格点部材２５のフランジ２７を新設側（図３において右側）の吊床版用ブロック６の上面に当てがい、横長孔３２に固定ボルト３３を挿入し、前記インサート３１に締結する。
【００３０】
前述のようにして既設側と新設側の各吊床版用ブロック６に各分割格点部材２４、２５を固着し、吊床版７に合わせるように調整して下部格点ボックス２０を固定できる。分割された各分割格点部材２４、２５の傾斜上面には固着板３４を固着してあって、それぞれの固着板３４に既設の斜材８と新設の斜材８の下端をボルトまたは溶接３５にて固着する。
【００３１】
こうして各吊床版用ブロック６に合せて誤差を調整しながら各分割格点部材２４、２５を介して、斜材８を各吊床版用ブロック６に固着した後、下部格点ボックス２１内の空間にモルタルなどの経時硬化性材料を充填するもので、その硬化によって、斜材８の配置位置が固定される。また、コ字形フレーム２６内の補強プレート３６にはジベル孔３７が開設されていて、このジベル孔３７に経時硬化性材料が回り込むことで、経時硬化性材料を介して左右の分割格点部材２４、２５は強固に一体化される。
【００３２】
つぎに、図１、図４〜図６によって、斜材８と上床版５および上部格点ボックス２１の構成を説明する。上部格点ボックス２１は、上下に分離されていてかつ、上下方向に高さ調整可能でかつ橋軸方向に垂直な面に沿って回転可能に構成した上側分割格点部材２２と下側分割格点部材２３を組合わせて構成される。下側分割格点部材２３は、両側板３８と両端板３９と両傾斜底板４０とから上部構成され、上部が開放したボックス状に構成されている。ボックスの内部にはジベル孔３７を有する補強プレート４１が配設されている。両傾斜底板４０の一方（図において左側）には先行して構築される既設の斜材８の上端が溶接またはボルト３５で固着されている。両傾斜底板４０の他方（図において右側）には後から構築される新設側の斜材８の上端が溶接またはボルト３５で固着されている。さらに、下側分割格点部材２３における両側板３８の外側には、ボルト取付け片４２が固着されていて、そのネジ穴４３に下側から高さ調整ボルト４４を上向きに螺合している。
【００３３】
上側分割格点部材２２は、下側分割格点部材２３における両側板３８よりも外側に突出する大きさの水平板４５を有し、この水平板４５の上面に複数のジベル筋４６を立設すると共に、下面中央部にジベル孔３７を有する補強板４７を固着して構成される。上部格点ボックス２１において、水平板４５はプレキャスト版からなる上床版用ブロック４の下面に当てがわれ、上床版用ブロック４に形成されたジベル孔４８にジベル筋４６を挿入し、このジベル孔４８にモルタルなどの経時硬化性材料４９を充填することで、上部格点ボックス２１が上床版用ブロック４に固着される。
【００３４】
次に、既設側の斜材８の上端を一方の傾斜底板４０に固着した下側分割格点部材２３を上側分割格点部材２２の下方に配置し、下側分割格点部材２３に設けた高さ調整ボルト４４の上端を上側分割格点部材２２の水平板４５の下面に係止することにより、上部格点ボックス２１における上床版５を固着した上側分割格点部材２２の高さ方向と橋軸方向に垂直な面に沿た回転方向に位置を決める。この場合、斜材８と上床版用ブロック４との微調整が必要であるが、前述のように、上部格点ボックス２１における上下に分離された上下側の分割格点部材２２、２３の高さ間隔を高さ調整ボルト４４で調整することにより、容易確実に調整できる。また、下側分割格点部材２３の両側に左右２本ずつ合計４の調整ボルト４４の先端の高さを調整することで、上下の分割格点部材２２、２３の橋軸方向と橋軸直角方向に垂直な面に沿た回転角度を調整できる。こうして高さと回転角度を調整した後、他方の傾斜底板４０に新設側の斜材８（図の右側）の上端を固着する。
【００３５】
前記のように、上側分割格点部材２２と下側分割格点部材２３の高さ間隔を調整した後、ボックス状の下側分割格点部材２３内の空間にモルタルなどの経時硬化性材料を充填することで上部格点ボックス２１と下側分割格点部材２３が一体化される。このとき下側分割格点部材２３内の補強プレート４１のジベル孔３７に経時硬化性材料が回り込むと共に、上側分割格点部材２２の下面のジベル孔４８を有する補強板４７がボックス状の下側分割格点部材２３内に上方から入り込み、その各ジベル孔３７、４８に経時硬化性材料が回り込むことで、経時硬化性材料を介して上下の分割格点部材２２、２３は強固に一体化される。
【００３６】
上下の分割格点部材２２、２３の間には微調整代として隙間が生じるので、この隙間には、漏れを防ぐテープを張っておくものである（図示省略）。
【００３７】
本発明の施工工程を説明する。
【００３８】
▲１▼吊床版７設置用の下部架設ケーブル（下部１次ケーブル）１６を両岸の橋台に張り渡し、上部架設ケーブル上部１次ケーブル）１７が所定の長さになるようにケーブル端を橋台に定着する（各架設ケーブル１６、１７の配置例を図７に示す）。
【００３９】
▲２▼吊床版（プレキャスト版）７を下部架設ケーブル１６に載せて橋中部方向に向けて送り出す。この場合、下部架設ケーブル１６と別に牽引ロープで反対側から吊床版用ブロック６を引くことも有効である。
【００４０】
▲３▼吊床版用ブロック７の中を下部２次ケーブル（ＰＣ鋼材）１６ａを通す。
▲４▼吊床版用ブロック７間の目地１９にモルタルを打設する。（外ケーブルの場合は、１次ケーブルと同時に先に配置しておく。）
【００４１】
▲５▼上床版５設置用の上部架設ケーブル１７を張る。上部架設ケーブル１７にレール（図示省略）を吊り下げ、そのレールを使って同じく上床版用ブロック（プレキャスト版）４を橋中央部に向けて送り出していく。
▲６▼上床版５の中を上部２次ケーブル（ＰＣ鋼材）１７ａを通し、各上床版ブロック４間の目地にモルタルを打設する。
【００４２】
▲７▼上床版５と吊床版７間に斜材８を取付ける。その施工に際し、下部格点ボックス２０における分割部材２４、２５間の橋軸方向の長さを所定の位置に決め横長孔２８に仮固定ボルト２９を挿通して仮止めする。上部格点ボックス２１における下側分割格点部材２３の傾斜底板４０の一方に、互いに対をなして傾斜配置される既設側の斜材８と新設側の斜材８のうち、既設側の斜材８は既に固着されていて、新設側である他の一方の斜材８を他方の傾斜底板４０にボルト止めする（なお、溶接でもよい）。橋軸方向における上部格点ボックス２１と新設の斜材８との間はこれで安定する。この作業の際、図７に示すように、新設の斜材８が橋軸直角方向に倒れたり、ずれ動かないように、新設の斜材８と吊床版７との間は仮支持部材（サポート材）５０で支持しておく。上部格点ボックス２１内に経時硬化性材料４９を充填して硬化させる。
【００４３】
▲８▼  ▲７▼の工程で三角形の下辺に沿って下部格点ボックス２０の左右の分割部材２４、２５を互いにスライドして所定の位置に決めるもので、両斜辺に沿って位置する斜材８の下部は下部格点ボックス２０にボルト止めで接続したその時点で三角形の三辺が決まっているので、斜材８の調整は完了する。
【００４４】
▲９▼下部格点ボックス２０にも無収縮モルタルを打設し一体化させる。下部格点ボックス２０は、左右の平面コ字形２６に分離されており、左右のフレーム２６の両側部２６ａは、一方は狭く、他方は広くなっていて、互いに重なり合ってスライドするように設けられている。左右のフレーム２６を一体化するため、ジベル孔３７を有する補強プレート３６がボックス内に設けられているので対向するコ字形のフレーム２６の内部空間に無収縮モルタル（図示省略）を打設することで、ジベル孔３７を介して左右のフレーム２６は一体となる。、ジベル孔３７を有する補強プレート３６としては、孔開き鋼板等を用いるのがよい。下部格点ボックス２０のフランジ２７に長孔３２が開設されているので、この長孔３２を通してボルト固定ボルト３３を配設することで、下部格点ボックス２０の各分割格点部材２４、２５を位置調整をしながら、各吊床版用ブロック６にボルトで固定される。
【００４５】
なお、▲７▼の工程において、上部格点ボックス２１の上側分割格点部材２２つまり水平板４５を下側分割格点部材２３に対して位置調整し、かつ経時硬化性材料で固定した後、上床版５を架設することも可能である。また、上部格点ボックス２１や下部格点ボックス２０には、これらを上床版５や下部床版７に位置固定した後にモルタル等の経時硬化性材料を充填する。さらに、上側分割格点部材２２の水平板（ベースプレート）４５の仮止めとして、上側分割格点部材２２に設ける高さ調整ボルト４４はピン構造とすることもできる。
【００４６】
前述したように本発明は、ジベル孔を有する各部材を格点部の調整部材として分離して構成し、コンクリートまたはモルタルなどの経時硬化性材料を打設して一体化することにより、上路式吊床版橋における斜材や鉛直材と上床版および吊床版の格点部における各部材間の３方向の変形を固定することで、施工誤差および施工の煩雑さを解消することを目的とするものである。
【００４７】
以上本発明の実施形態、運用形態について説明したが、前記の構成を適宜設計変更して実施することは構わない。また、本発明は、斜材８に限らず、鉛直材を格点部を介して上床版や下床版に結合する構造に適用できる。
【００４８】
【発明の効果】
本発明によると、上路式吊床版橋の橋梁における床版と斜材等の連結材の格点部を分割格点部材を組合わせてなる格点ボックスで構成し、各分割格点部材により斜材の回転および鉛直変位や水平変位の調整可能な構造とし、さらにジベル孔やジベル筋を具備した格点ボックス内に経時硬化性材料を充填することで、分割格点部材相互の３方向の変形を固定・一体化したことで、上路式吊床版橋の橋梁の構築に際し、施工誤差および施工の煩雑さを解消することが容易に可能になる。
【図面の簡単な説明】
【図１】本発明の実施形態に係る全体の概要説明図である。
【図２】下部格点ボックスの配置関係を示す平面図である。
【図３】（ａ）は下部格点ボックスの横断平面図、（ｂ）は（ａ）のＡ−Ａ断面図である。
【図４】（ａ）は、上部格点ボックスにおける上側分割格点部材の斜視図、（ｂ）は、下側分割格点部材の側面図、（ｃ）は、下側分割格点部材の斜視図である。
【図５】（ａ）は、上部格点ボックスにおける上側と下側の分割格点部材図の取付け時の縦断正面図、（ｂ）は、同じく取付け後の縦断正面図である。
【図６】（ａ）は、図５（ａ）の縦断側面図、（ｂ）は、図５（ｂ）の縦断側面図である。
【図７】本発明を実施する上路式吊床版橋における架設ケーブルの配置例を示す拡大縦断側面図である。
【図８】従来の第１例に係る端部分離型上路式吊床版橋の断面説明図である。
【図９】従来の第２例に係る端部分離型上路式吊床版橋の断面説明図である。
【図１０】図７に示す端部分離型上路式吊床版橋の橋軸直角方向の拡大断面説明図である。
【符号の説明】
１  上路式吊床版橋
２  地盤
３  橋台
４  上床版用ブロック
５  上床版
６  下床版用ブロック
７  吊床版
８  斜材
９  グランドアンカー
１０  上方格点部
１２  下方格点部
１３  鉛直材
１４  １次ケーブル（仮設ケーブル）
１５  ２次ケーブル
１６  下部仮設ケーブル
１７  上部仮設ケーブル
１８  橋体端部ブロック
１９  目地
２０  下部格点ボックス
２１  上部格点ボックス
２２  上側分割格点部材
２３  下側分割格点部材
２４  分割格点部材
２５  分割格点部材
２６  コ字形部材
２６ａ  両側部
２７  フランジ
２８  横長孔
２９  仮固定用ボルト
３０  ナット
３１  インサート
３２  横長孔
３３  固定ボルト
３４  固着板
３５  溶接
３６  補強プレート
３７  ジベル孔
３８  両側板
３９  両端板
４０  傾斜底板
４１  補強プレート
４２  ボルト取付け片
４３  ネジ穴
４４  高さ調整ボルト
４５  水平板
４６  ジベル筋
４７  補強板
４８  ジベル孔
４９  経時硬化性材料
５０  サポート材
【図１】
2004293113.tif 000003
【図２】
2004293113.tif 000004
【図３】
2004293113.tif 000005
【図４】
2004293113.tif 000006
【図５】
2004293113.tif 000007
【図６】
2004293113.tif 000008
【図７】
2004293113.tif 000009
【図８】
2004293113.tif 000010
【図９】
2004293113.tif 000011
【図１０】
2004293113.tif 000012